【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
消費するのに適した所定量の飲料を調製するためのシステムであって、
前記システムは第１の交換可能カプセルを任意選択で備えるように構成されており、
前記第１の交換可能カプセルよりも大きな第２の交換可能カプセルと、
前記第１又は第２の交換可能カプセルのうちの１つを選択的に保持する淹出チャンバを形成する第１の淹出チャンバ部及び第２の淹出チャンバ部を備える装置であって、所定量の水などの流体を、圧力下で、前記第１又は第２の交換可能カプセルのうちの１つを選択的に保持するためのキャビティを有する前記第１の淹出チャンバ部に供給する流体分配デバイスを備える装置と、を含み、
前記第１の淹出チャンバ部は、前記淹出チャンバが前記第２のカプセルを保持する場合、前記第２の交換可能カプセルによって占有されない第２のボリュームを備え、前記第２のボリュームは、前記淹出チャンバが前記第１のカプセルを保持する場合、前記第２の淹出チャンバ部を受容するように構成されている、システム。
【請求項２】
前記第１の淹出チャンバ部は、前記淹出チャンバが前記第１の交換可能カプセルを保持する場合、前記第１の交換可能カプセルによって占有されない第１のボリュームを備え、前記第１のボリュームは、前記第２のカプセルを保持する場合、前記第２の交換可能カプセルの一部を保持するように構成されている、請求項１に記載のシステム。
【請求項３】
前記第１及び第２のカプセルは、実質的に同じ長さ対直径比を有する、請求項１または２に記載のシステム。
【請求項４】
前記第２の淹出チャンバ部は、第１又は第２の位置に移動可能であり、前記第１の位置では、前記第１及び第２の淹出チャンバ部は、前記第１のカプセルを保持する前記淹出チャンバを形成し、前記第２の位置では、前記第１及び第２の淹出チャンバ部は、前記第２のカプセルを保持する前記淹出チャンバを形成する、請求項１〜３のいずれか一項に記載のシステム。
【請求項５】
前記装置は、前記第２のカプセルを保持するときに前記第１及び前記第２の淹出チャンバ部を封止するための第２の封止部材を備える、請求項１〜４のいずれか一項に記載のシステム。
【請求項６】
前記第２のカプセルは、前記第２の封止部材を封止するための封止表面を有し、前記封止表面は、前記第１のカプセルの本体の外径よりも大きな内径を有する、請求項１〜５のいずれか一項に記載のシステム。
【請求項７】
前記第２のカプセルは、前記第２の封止部材との流体封止係合を提供するように構成された第２のフランジ状リムを有する、請求項５又は６に記載のシステム。
【請求項８】
前記装置は、前記第１のカプセルを保持するときに前記第１及び第２の淹出チャンバ部を封止するための第１の封止部材を備え、前記第１のカプセルは、前記第１の封止部材との流体封止係合を提供するように構成された第１のフランジ状リムを有する、請求項１〜７のいずれか一項に記載のシステム。
【請求項９】
前記第１の淹出チャンバ部は、前記第１のカプセルと協働するために前記キャビティ内に配置された第１の環状当接面を備える、請求項１〜８のいずれか一項に記載のシステム。
【請求項１０】
前記キャビティは底部及び１つ以上の周壁を備え、前記第１の環状当接面は、前記底部から少なくとも前記第１のカプセルの長さの距離で、少なくとも１つの前記周壁に配置されている、請求項９に記載のシステム。
【請求項１１】
前記キャビティは、前記第２のボリュームを画定する第２の部分を備え、前記第２の部分は、前記第１の環状当接面の直径よりも大きい、又は等しい断面を有する、請求項９または１０に記載のシステム。
【請求項１２】
前記第２の部分の少なくとも一部は、前記本体の形状に追従するために前記第２のカプセルに対応するように成形されており、前記本体の前記断面は、前記第２のボリュームを最小にするために、前記第１の環状当接面の前記直径よりも大きい、又は等しい、請求項９に記載のシステム。
【請求項１３】
前記第１の淹出チャンバ部は、前記第２のカプセルと協働するための第２の環状当接面を備える、請求項１〜１２のいずれか一項に記載のシステム。
【請求項１４】
前記キャビティは、前記第１のボリュームを画定する第１の部分を備え、前記第１の部分は、前記第２のカプセルを前記第１の部分の中に受容するために、前記第２のカプセルに対応する形状及びサイズを有する、請求項１〜１３のいずれか一項に記載のシステム。
【請求項１５】
前記第１及び前記第２のカプセルは各々、傾斜周壁を有するカップ形状の本体を備え、前記傾斜周壁は、前記本体の底部に向かう方向に漸減する断面を呈し  前記第１及び前記第２のカプセルの前記傾斜周壁は、前記カプセルの軸線方向に対して実質的に同じ角度で傾斜している、請求項１〜１４のいずれか一項に記載のシステム。
【請求項１６】
前記第１のカプセルは第１のフランジ状リムを備え、前記第２のカプセルは第２のフランジ状リムを備え、前記本体の前記長さと前記第１のフランジ状リムの直径との比は、前記本体の前記長さと前記第２のフランジ状リムの直径との比と実質的に同じである、請求項１〜１５のいずれか一項に記載のシステム。
【請求項１７】
前記第１の交換可能カプセルを更に備える、請求項１〜１６のいずれか一項に記載のシステム。
【請求項１８】
前記第１の淹出チャンバ部によって受容可能であるように、かつ前記第１のボリュームを備える前記キャビティを部分的に充填するように適切に成形された本体を有する第３の交換可能カプセルであって、前記第１のカプセルと実質的に同じ長さを有する第３の交換可能カプセルと、
前記第２のカプセルと実質的に同じ形状及び断面を有するが前記第２のカプセルの前記長さよりも短い長さを有する本体を備える第４の交換可能カプセルであって、前記第４の交換可能カプセルの前記本体は、前記第１の淹出チャンバ部に挿入する前に、手動で又は機械的に底部で開口されるように任意選択で構成されている、第４の交換可能カプセルと、
前記第１又は前記第２のカプセルのうちの１つと同一の形状及びサイズを有する第５の交換可能カプセルであって、その中に飲料原材料を補充することを可能にするため、開閉するように構成されている第５の交換可能カプセルと、
淹出チャンバアダプタと組み合わせた第６の交換可能カプセルであって、前記淹出チャンバアダプタは、それと協働するために前記第１の淹出チャンバの内部形状に対応する外部形状を備え、前記淹出チャンバアダプタは、前記第６のカプセルを前記第１の淹出チャンバ部に挿入することを可能にするために、前記第６のカプセルの外部形状に対応する内部形状を備える、第６の交換可能カプセルと、
第１の淹出チャンバ部によって受容されるように適切に成形された本体を有する第７の交換可能カプセルであって、前記第７の交換可能カプセルの中に飲料原材料の補充を可能にする開口区分を備える第７の交換可能カプセルと、
本体の上端部が第２のボリュームを少なくとも部分的に充填するように成形されたカップ形状本体を有する第８の交換可能カプセルと、
カップ形状の本体を有する第９の交換可能カプセルであって、前記本体の上端部が、前記キャビティに少なくとも部分的に対応するように、かつ前記第２のボリュームを少なくとも部分的に充填するように成形された第９の交換可能カプセルと、
前記淹出チャンバが前記第１の交換可能カプセルを保持する場合、前記第１のボリュームを充填若しくは閉鎖するように適切に成形された第１のカプセル相補形淹出チャンバアダプタ、又は、
前記淹出チャンバが前記第２の交換可能カプセルを保持する場合、前記第２ボリュームを充填若しくは閉鎖するように適切に成形された第２のカプセル相補形淹出チャンバアダプタと、
を含む群のうちの少なくとも１つの要素を更に備える、請求項１〜１７のいずれか一項に記載のシステム。
【請求項１９】
第１又は第２の交換可能カプセルのうちの１つを選択的に保持する淹出チャンバを形成するように互いに協働するように構成された第１の淹出チャンバ部及び第２の淹出チャンバ部を備える淹出チャンバアセンブリであって、
前記アセンブリは、所定量の水などの流体を、圧力下で、前記第１の淹出チャンバ部に供給するための流体分配デバイスと協働するように構成されており、
前記第１の淹出チャンバ部は、前記第１及び第２の交換可能カプセルのうちの前記１つを選択的に保持するためのキャビティを有し、
前記淹出チャンバが前記第１の交換可能カプセルを保持している場合、前記第１の淹出チャンバ部は、前記第１の交換可能カプセルによって占有されない第１のボリュームを含むように成形されており、
前記第１のボリュームは、前記淹出チャンバが前記第２のカプセルを保持しているときに、前記第２の交換可能カプセルの一部を保持するように構成されており、
前記淹出チャンバが前記第２のカプセルを保持している場合、前記第１の淹出チャンバ部は、更に、前記第２の交換可能カプセルによって占有されない第２のボリュームを含むように成形されており、
前記第２のボリュームは、前記淹出チャンバが前記第１のカプセルを保持しているときに、前記第２の淹出チャンバ部を受容するように構成されている、淹出チャンバアセンブリ。
【請求項２０】
請求項１〜１８のいずれか一項に記載のシステムで使用するためのカプセルのセットであって、前記セットは第１の交換可能カプセル及び第２の交換可能カプセルを備え、前記第２のカプセルは前記第１のカプセルよりも大きく、
前記第１及び第２のカプセルの各１つは、第１の淹出チャンバ部のキャビティ内に受容可能であるような、かつ前記キャビティが淹出チャンバを形成するために前記第１の淹出チャンバ部と協働する第２の淹出チャンバ部によって閉鎖可能であるような形状及びサイズを有し、
前記第１及び第２の淹出チャンバ部は、前記第１又は第２のカプセルのうちの１つを選択的に使用することによって消費するのに適した所定量の飲料を調製するように構成された装置に包含されており、
前記第１のカプセルは、前記第１のカプセルが前記キャビティ内に存在するとき、前記第１のカプセルの本体と前記第１の淹出チャンバ部の周壁との間の前記キャビティ内に第１のボリュームを画定するように成形されており、
前記第１のボリュームは、前記淹出チャンバが前記第１のカプセルの代わりに前記第２のカプセルを保持する場合、前記第２のカプセルの一部を保持するように構成されており、
前記第２のカプセルは、前記第２のカプセルが前記キャビティ内に存在するとき、前記第２のカプセルの本体と前記第１の淹出チャンバ部の周壁との間の前記キャビティ内に第２のボリュームを画定するように成形されており、
前記第２のボリュームは、前記淹出チャンバが前記第２のカプセルの代わりに前記第１のカプセルを保持する場合、前記第２の淹出チャンバ部を受容するように構成されている、カプセルのセット。
【請求項２１】
消費するのに適した所定量の飲料を調製する方法であって、
第１の交換可能カプセル又は前記第１の交換可能カプセルよりも大きな第２の交換可能カプセルのうちの少なくとも１つを選択するステップと、
第１又は第２のカプセルのうちの前記選択された１つを装置の第１の淹出チャンバ部に挿入するステップであって、前記装置は、前記第１の交換可能カプセル又は前記第２の交換可能カプセルのうちの選択された１つを保持するように構成されている淹出チャンバを形成する前記第１の淹出チャンバ部及び第２の淹出チャンバ部を備える、ステップと、
流体分配デバイスを用いて、所定量の水などの流体を、圧力下で、前記第１及び前記第２の交換可能カプセルのうちの前記選択された１つを保持するキャビティを有する前記第１の淹出チャンバ部に供給するステップと、を含み、
前記挿入するステップは、
前記第１のカプセルが選択されたとき、前記第１の淹出チャンバ部に第１のボリュームを形成するステップであって、前記第１のボリュームは、前記淹出チャンバが前記第１の交換可能カプセルを保持する場合、前記第１の交換可能カプセルによって占有されず、前記淹出チャンバが前記第２のカプセルを保持する場合、前記第２の交換可能カプセルの一部を保持するように構成されている、ステップと、
前記第２のカプセルが選択されたとき、前記第１の淹出チャンバ部に第２のボリュームを形成するステップであって、前記第２のボリュームは、前記淹出チャンバが前記第２の交換可能カプセルを保持する場合、前記第２の交換可能カプセルによって占有されず、前記淹出チャンバが前記第１のカプセルを保持する場合、前記第２の淹出チャンバ部を受容するように構成されている、ステップと、を含む、方法。
【請求項２２】
請求項１〜１８のいずれか一項に記載のシステムで使用するための、カプセル。
【請求項２３】
請求項１〜１８のいずれか一項に記載のシステムで使用するための淹出チャンバアダプタであって、それと協働するための前記第１の淹出チャンバの内部形状に対応する外部形状を備え、前記淹出チャンバアダプタは、前記淹出チャンバアダプタと組み合わせて使用するための第６のカプセルの外部形状に対応する内部形状を備え、前記第６のカプセルが前記第１の淹出チャンバ部に挿入されることを可能にする、淹出チャンバアダプタ。
【請求項２４】
請求項１〜１８のいずれか一項に記載のシステムで使用するためのカプセル相補形淹出チャンバアダプタであって、第１又は第２のカプセルと組み合わせて使用するのに適しており、
前記カプセル相補形淹出チャンバアダプタは、前記淹出チャンバが前記第１の交換可能カプセルを保持している場合、前記第１のボリュームを充填又は閉鎖するように成形されており、又は、
前記カプセル相補形淹出チャンバアダプタは、前記淹出チャンバが前記第２の交換可能カプセルを保持している場合、前記第２のボリュームを充填又は閉鎖するように成形されている、カプセル相補形淹出チャンバアダプタ。